(57)【要約】【課題】本発明の課題は、本発明の課題は、チャフシーブを着脱することなく、上方に揺動開放するだけで良く、作業の煩わしさをなくし、選別網のメンテナンスを容易にすることを目的とする。【解決手段】 本発明は、扱室（１０）からの脱穀処理物を受け入れて揺動選別する移送棚（１４）、チャフシーブ（１５）、ストローラック（１６）、選別網（１７）からなる揺動選別装置において、選別網（１７）の上方に位置するチャフシーブ（１５）を上下方向に開閉可能に構成する。また、チャフシーブ（１５）は、前方側を回動支点とし、後方側を起立状に持ち上げ支持する。【選択図】図４
2018085944.tif 000002
【特許請求の範囲】
【請求項１】
扱室（１０）からの脱穀処理物を受け入れて揺動選別する移送棚（１４）、チャフシーブ（１５）、ストローラック（１６）、選別網（１７）からなる揺動選別装置において、前記選別網（１７）の上方に位置する前記チャフシーブ（１５）を上下方向に開閉可能に構成してあることを特徴とするコンバインの揺動選別装置。
【請求項２】
前記チャフシーブ（１５）は、前方側を回動支点とし、後方側を起立状に持ち上げ支持する構成としてあることを特徴とする請求項１記載のコンバインの揺動選別装置。
【請求項３】
前記チャフシーブ（１５）は、支持ロッド（２４）によって持ち上げ支持し、機体開放側一側部に設けてあることを特徴とする請求項１又は請求項２記載のコンバインの揺動選別装置。
【請求項４】
前記支持ロッド（２４）は、揺動棚のケース側板（２５）に装着して収納保持してあることを特徴とする請求項３記載のコンバインの揺動選別装置。
【請求項５】
前記チャフシーブ（１５）の回動支点部は、シーブの角度を調整するシーブ角調整アーム（２２）の上部に架設してあることを特徴とする請求項１又は請求項２又は請求項３又は請求項４記載のコンバインの揺動選別装置。
【発明の詳細な説明】
【技術分野】
【０００１】
この発明は、脱穀部に供給された刈取穀稈を選別するコンバインの揺動選別装置に関する。
【背景技術】
【０００２】
従来、例えば、特許文献１に示されているように、選別網の上方に位置するチャフシーブを着脱自在に設け、そして、このチャフシーブを取り外した場合には、選別網の上方が開放されるため、選別網の清掃等のメンテナンスが容易に行えるようにした技術が開示されている。
【先行技術文献】
【特許文献】
【０００３】
【特許文献１】特開２０１３−７４８５８号公報
【発明の概要】
【発明が解決しようとする課題】
【０００４】
従来技術によると、チャフシーブの着脱は非常に面倒であり、特に、チャフシーブが重いため、これを外部に取り出すための労力は多大である。
【０００５】
本発明の課題は、チャフシーブを着脱することなく、上方に揺動開放するだけで良く、作業の煩わしさをなくし、選別網のメンテナンスを容易にすることを目的とする。
【課題を解決するための手段】
【０００６】
この発明は、上記課題を解決すべく次のような技術的手段を講じた。
【０００７】
すなわち、請求項１記載の発明は、扱室（１０）からの脱穀処理物を受け入れて揺動選別する移送棚（１４）、チャフシーブ（１５）、ストローラック（１６）、選別網（１７）からなる揺動選別装置において、前記選別網（１７）の上方に位置する前記チャフシーブ（１５）を上下方向に開閉可能に構成してあることを特徴とする。
【０００８】
扱室（１０）から落下する脱穀処理物は、移送棚（１４）、チャフシーブ（１５）、ストローラック（１６）、チャフシーブ下方の選別網（１７）を介して揺動篩選別される。
【０００９】
選別網（１７）のメンテナンスを行う際には、脱穀選別装置の外側カバー（Ｃ）を開けて内部を開放し、チャフシーブ（１５）の一端側を支点として上方に揺動開放する。すると、下方の選別網（１７）の上方が大きく開放されるので、その広い空間をもって選別網の清掃或いは交換等のメンテナンスが容易に行える。
【００１０】
請求項２記載の発明は、請求項１において、前記チャフシーブ（１５）は、前方側を回動支点とし、後方側を起立状に持ち上げ支持する構成としてあることを特徴とする。
【００１１】
コンバインは通常後方に向けて排塵処理し、しかも、後方に向けて開放してあって、揺動選別棚をそこから後方に引き抜くようになっている。従って、チャフシーブ（１５）は前方側を支点として後方側を大きく持ち上げるように支持することで、選別網のメンテナンスがより簡単に容易に行える。
【００１２】
請求項３記載の発明は、請求項１又は請求項２において、前記チャフシーブ（１５）は、支持ロッド（２４）によって持ち上げ支持し、機体開放側一側部に設けてあることを特徴とする。
【００１３】
上記構成によると、チャフシーブを持ち上げ支持する支持ロッド（２４）は、機体開放側の片側のみで良く、ロッドによる支持は簡単で確実であり、安価に実施することができる。
【００１４】
請求項４記載の発明は、請求項３において、前記支持ロッド（２４）は、揺動棚のケース側板（２５）に装着して収納保持してあることを特徴とする。
【００１５】
上記構成によると、チャフシーブ（１５）を持ち上げ支持する時には、ケース側板（２５）に収納保持してある支持ロッド（２４）で持ち上げ支持することができ、身近な場所から容易に取り出しでき、即座に対処することができる。
【００１６】
請求項５記載の発明は、請求項１又は請求項２又は請求項３又は請求項４において、前記チャフシーブ（１５）の回動支点部は、シーブの角度を調整するシーブ角調整アーム（２２）の上部に架設してあることを特徴とする。
【００１７】
上記構成によると、シーブ角調整アーム（２２）にチャフシーブの回動支点部を設けることで、別の支持アームを設ける必要がなく、シーブ角調整アームが兼用されるので、構成が簡単で安価に実施できる。
【発明の効果】
【００１８】
以上要するに、請求項１記載の発明によれば、選別網のメンテナンス時には、チャフシーブを揺動開放することができるので、チャフシーブを取り外すような面倒な作業が不要となり、選別網のメンテナンスを容易に行うことができる。
【００１９】
請求項２記載の発明によれば、請求項１記載の発明による効果に加えて、チャフシーブは前方側を支点として後方側を大きく持ち上げ支持することで、選別網のメンテナンスをより簡単に容易に行うことができる。
【００２０】
請求項３記載の発明によれば、請求項１又は請求項２記載の発明による効果に加えて、チャフシーブは支持ロッドによって持ち上げ支持し、機体開放側の片側のみで良く、ロッドによる支持は簡単で確実であり、安価に実施することができる。
【００２１】
請求項４記載の発明によれば、請求項３記載の発明による効果に加えて、チャフシーブを持ち上げ支持する支持ロッドは、ケース側板に収納保持してあるため、身近な場所から容易に取り出しでき、即座に対処することができる。
【００２２】
請求項５記載の発明によれば、請求項１又は請求項２又は請求項３又は請求項４記載の発明による効果に加えて、既存のシーブ角度調整アームにチャフシーブの回動支点部を設けることで、別の支持アームを設ける必要がなくなり、シーブ角度調整アームが兼用されるので、構成が簡単で安価に実施できる。
【図面の簡単な説明】
【００２３】
【図１】普通型コンバインの側面図
【図２】脱穀部の一部開放する要部の側面図
【図３】同上要部の正面図
【図４】揺動選別装置の要部の側断面図
【図５】脱穀選別装置の要部の正面図
【図６】脱穀選別装置の要部の正面図
【図７】脱穀選別装置の要部の正面図
【図８】脱穀選別装置の要部の正面図
【発明を実施するための形態】
【００２４】
この発明の実施例を図面に基づき説明する。
【００２５】
図１は、普通型コンバインを示し、走行クローラ２を具備した車体１前部の刈取前処理部３と、刈取前処理部３から搬送供給される穀稈を脱穀選別処理する車体後部の脱穀選別装置（脱穀部）４とからなる。機体の右側には、前方に運転席５、その後方にグレンタンクＧが装備されている。
【００２６】
刈取前処理部３は、分草後の穀稈を掻き寄せる掻込リール６を備え、穀稈を、バリカン式の刈刃装置７で刈り取り、テーブル８内の掻込オーガから搬送エレベータ９に受け渡し、この搬送エレベータ９から脱穀部４に搬送供給するようになっている。
【００２７】
脱穀部４は、扱室１０内に供給された穀稈を脱穀処理する扱胴１１を備え、脱穀処理物は、受網１２から下方の揺動選別棚１３上に落下してふるい選別されるようになっている。
【００２８】
揺動選別棚１３は、選別方向上手側から移送棚１４、チャフシーブ１５、ストロ−ラック１６の順に配置し、且つ、前記チャフシ−ブ１５の下方に選別網（グレンシ−ブ）１７を配置して設けた構成としている。更に、揺動選別棚１３の下方には、選別方向の上手側から順に、唐箕１８と、１番ラセン１９、２番ラセン２０を配置して設けた構成としている。
【００２９】
なお、選別部の左側の外側カバーＣは、内部のメンテナンスが外側から容易にできるように開閉自在に構成されている。
【００３０】
前記チャフシーブ１５は、可動シーブ板２１が横軸Ｑの中心周りにシーブ角調整可能に構成してあり、シーブ角調整アーム２２を介して手動又は自動でシーブ角調整制御モータにより揺動角を変更調整できるようになっている。つまり、揺動角を調整することによって処理物の漏下開度を変更し、処理物の漏下量を調節する。
【００３１】
選別網１７の清掃或いは交換等のメンテナンスを行う場合には、上方のチャフシーブ１５（実施例では後半部）をカセット式に構成し、取り付け状態を解除したのち上下方向に揺動開閉する。つまり、カセット取付位置Ｐを解除し、前方側を回動支点として後方側を上方に持ち上げ支持する。すると、選別網１７の上方が開放し、メンテナンスが容易に行えるようになる。
【００３２】
実施例では、シーブ角調整アーム２２の上部に支軸２３を支点として回動するようになっており、下動シーブ板２１と同一軸上に架設している。
【００３３】
そして、チャフシーブ１５の持ち上げ保持は、支持ロッド２４でもって支持し、先端部をチャフシーブのカセットケース２６の係合凹部２６ａに係合保持し、基端部を揺動選別棚１３の左側（開放側）のケース側板２５の側面に収納保持するようになっている。
【００３４】
そして、チャフシーブを持ち上げ支持しない時には、支持ロッド２４は左ケース側板２５の側面に収納保持しておく。
【００３５】
図５の実施例で示すように、支持ロッド２４を左側の側枠２７に設けてチャフシーブを持ち上げ支持する構成としてもよい。
【００３６】
また、図６に示す実施例のように、受網１２下面の連結フレーム２８に吊具２９を設けて持ち上げたチャフシーブを吊り下げるように構成してもよい。
【００３７】
図７に示す実施例では、受網がサイドカバー側から脱着可能な普通型コンバインにおいて、サイドカバー３０内側の案内板３１の形状を受網１２形状に沿った円弧状に構成することで、受網から漏下する処理物が円滑に案内されて揺動棚上に落下することになる。
【００３８】
なお、この案内板３１又は案内板に代えて脱着可能なクリンプ網３２（又は目抜き鉄板）を設けることで（図８参照）、作物の種類や作物流量の多少に応じてクリンプ網の目合いを変えることができ、適正な目合いによりロスが少なくなり、選別が良好となる。また、クリンプ網を使用しない時には、無孔の案内板３１の状態に戻すか又はクリンプ網を覆うように蓋ができるようにしておくとよい。
【００３９】
また、サイドカバーのクリンプ網３２を前後２分割にし、前側をそのままクリンプ網とし、後側はクリンプ網の上に蓋をした状態にすることで、扱室の前側で濾過率を高め、逆に扱室内のワラ屑率が高い後側の濾過率を低くすることにより、ロスが低減される。
【００４０】
サイドカバー３０の案内板３１の前後方向の長さを扱室の受網１２と同寸法とし、且つ、左右方向で案内板と受網が沿うように構成しておくと、サイドカバーを閉じたときに、受網が固定された状態となるため、受網にロック機能を設けなくて済み、且つ、受網が適正の位置にセットされていなくても、サイドカバーを閉じることにより、受網が適正の位置にセットされるようになる。
【００４１】
サイドカバーの案内板に仕切り板を設けたり、その仕切り板の回動角や高さを変更することもできる。
【００４２】
仕切り板の回動角や高さ変更は、操作レバーなどで外部から自由に変更することができるし、また、自動的に制御することもできる。
【００４３】
また、扱室の入り口部に層厚センサを設け、この層厚センサと連動して仕切り板の高さを変更したり、揺動選別棚に層厚センサを設け、これに連動して案内板の仕切り板の高さを変更することもできる。
【符号の説明】
【００４４】
４    脱穀選別装置
１０    扱室
１３    揺動選別棚
１４    移送棚
１５    チャフシーブ
１６    ストローラック
１７    選別網
２２    シーブ角調整アーム
２３    支軸
２４    支持ロッド
２５    ケース側板
２６    カセットケース
【図１】
2018085944.tif 000003
【図２】
2018085944.tif 000004
【図３】
2018085944.tif 000005
【図４】
2018085944.tif 000006
【図５】
2018085944.tif 000007
【図６】
2018085944.tif 000008
【図７】
2018085944.tif 000009
【図８】
2018085944.tif 000010